(57)【要約】【課題】スリーブ継手を用いてＰＣ部材同士を接合する際に、ＰＣ部材同士のずれを防止するとともに、ずれが生じた場合に容易に修正を可能とする簡便な修正治具を提供する。【解決手段】梁部材１から突出した主筋３を柱部材２に設けられた挿入孔４に挿入し、主筋３と挿入孔４の内側面との間に充填材を充填して両部材を接合する接合構造における、両部材の相対位置を修正する修正治具１０である。主筋３に係合するアンカー板２０と、このアンカー板２０に支持され該アンカー板２０を介して主筋３から反力をとり、挿入孔４の設けられた柱部材２を押圧する押圧ボルト３０とからなるので、アンカー板２０を梁部材１の主筋３に係合させ、アンカー板２０を介して主筋３から反力をとり、押圧ボルト３０により挿入孔４の設けられた柱部材２を押圧することにより、両部材の相対位置を修正することができる。【選択図】図１
2005194750.tif 000002
【特許請求の範囲】
【請求項１】
一方の部材から突出した主筋を他方の部材に設けられた挿入孔に挿入し、主筋と挿入孔の内側面との間に充填材を充填して両部材を接合する接合構造における、両部材の相対位置を修正する修正治具であって、主筋に係合するアンカー部材と、このアンカー部材に支持され該アンカー部材を介して主筋から反力をとり、挿入孔の設けられた部材の側面を押圧する押圧手段とからなることを特徴とする修正治具。
【請求項２】
前記アンカー部材は平板状であることを特徴とする請求項１に記載の修正治具。
【発明の詳細な説明】
【技術分野】
【０００１】
本発明は、スリーブ継手における部材同士の相対位置のずれを防止し修正する修正治具に関する。
【背景技術】
【０００２】
コンクリート構造物の構築工法は、特に高層建築物等においては、コンクリートを現場で打設する在来工法から、予め工場等で作成されたプレキャストコンクリート製の部材（以下、ＰＣ部材）を現場で配設し、これらの接合部にコンクリートを現場打設して架構を形成するプレキャスト化工法に代わりつつある。
【０００３】
ＰＣ部材同士の接合方法としては、スリーブ継手が知られている。スリーブ継手は、例えば図４に示すように、梁部材１の柱部材２との接合面から主筋３を突出させるとともに、柱部材２の梁部材１との接合面に主筋３を挿入する筒状の挿入孔４（スリーブ）を設け、挿入孔４に主筋３を挿入するとともに、主筋３と挿入孔４の内側面との間にモルタル等の充填材５を充填することで、柱部材２と梁部材１とを接合する構造である（例えば、特許文献１参照）。
【０００４】
ところで、主筋と挿入孔の内側面との間には充填材を充填する空間が空いているため、上部に大梁、小梁、床板などの上部部材が配設されるに伴い、柱部材が梁部材に対して水平方向に変位し、位置のずれが生じることがある。特に建物外周部の柱部材は、下部が外側へ変位することが多い。この場合には、レバーブロックやジャッキ等を用いて柱部材の水平位置を修正していた。
【特許文献１】特開平１０−１４７９７８号公報（図１、図２）
【発明の開示】
【発明が解決しようとする課題】
【０００５】
しかし、レバーブロックやジャッキ等を用いて水平位置を修正するのは難しく、部材の一部に応力が集中した場合には、部材が破損する恐れがあった。このため水平位置の修正を慎重に行うために時間と労力を要し、建設コストを高くしていた。
【０００６】
本発明の課題は、スリーブ継手を用いてＰＣ部材同士を接合する際に、ＰＣ部材同士のずれを防止するとともに、ずれが生じた場合に容易に修正を可能とする簡便な修正治具を提供することである。
【課題を解決するための手段】
【０００７】
以上の課題を解決するため、本発明の請求項１に記載の発明は、一方の部材（梁部材１）から突出した主筋３を他方の部材（柱部材２）に設けられた挿入孔４に挿入し、主筋３と挿入孔４の内側面との間に充填材を充填して両部材を接合する接合構造における、両部材の相対位置を修正する修正治具１０であって、主筋３に係合するアンカー部材（アンカー板２０）と、このアンカー部材に支持され該アンカー部材を介して主筋３から反力をとり、挿入孔４の設けられた部材を押圧する押圧手段（押圧ボルト３０）とからなることを特徴とする。
【０００８】
請求項１に記載の発明によれば、アンカー部材を一方の部材の主筋３に係合させ、アンカー部材を介して主筋３から反力をとり、押圧手段により挿入孔４の設けられた部材を押圧することにより、両部材の相対位置を修正することができる。
【０００９】
請求項２に記載の発明は、請求項１に記載の修正治具１０において、前記アンカー部材は平板状であることを特徴とする。
【００１０】
請求項２に記載の発明によれば、アンカー部材が平板状であるため、両部材の隙間に沿ってアンカー部材を容易に挿入し、主筋３に係合させることができる。
【発明の効果】
【００１１】
請求項１に記載の発明によれば、アンカー部材を一方の部材の主筋に係合させ、アンカー部材を介して主筋から反力をとり、押圧手段により挿入孔の設けられた部材を押圧することにより、両部材の相対位置を修正することができる。
【００１２】
請求項２に記載の発明によれば、アンカー部材が平板状であるため、両部材の隙間に沿ってアンカー部材を容易に挿入し、主筋に係合させることができる。
【発明を実施するための最良の形態】
【００１３】
以下、本発明の実施の形態について詳細に説明する。図１〜３は、ＰＣ部材からなる梁部材１と、断面四角形状の柱部材２との接合部の構造を示す図である。図１において、梁部材１は建物の外周部でスラブ直上に配置される逆梁となり、柱部材２は外周部柱を構成する。梁部材１の建物外側面と柱部材２の建物外側面は同一平面となるように配置する。
【００１４】
柱部材２は梁部材１の上に鉛直に設けられている。なお、柱部材２は梁部材１よりも太いため、建物内側に突出して配置されており、梁部材１の柱部材２との接合部もそれに合わせて建物内側に突出した形状をしている。
【００１５】
梁部材１の柱部材２との接合面には主筋３が鉛直に突出している。また、柱部材２の梁部材１との接合面には主筋３が挿入される筒状の穴（スリーブ）が鉛直に設けられている。接合面と接合面との間、及び、スリーブの内側面と主筋３との間にセメントモルタル等の充填材が充填され、梁部材１と柱部材２とが接合される。
【００１６】
本発明の実施の形態の修正治具１０は上記の接合部に設けられる。修正治具１０は、アンカー板２０と、押圧ボルト３０とを必須の構成要素とする。
【００１７】
アンカー板２０は平板状であり、その前端にはフック状の係合部２１が設けられている。係合部２１には、梁部材１から突出する主筋３を係合させることができる。また、アンカー板２０の後端には押圧ボルト支持部２２が設けられている。押圧ボルト支持部２２には押圧ボルト３０が螺合しており、押圧ボルト３０の軸方向がアンカー板２０の前後方向となるように押圧ボルト３０を支持する。
【００１８】
押圧ボルト３０は押圧ボルト支持部２２により、アンカー板２０と平行に支持されている。押圧ボルト３０の後部には、ラチェット等と係合する頭部３１が設けられている。押圧ボルト３０は押圧ボルト支持部２２と螺合しており、ラチェット等で径方向に回転させることにより、アンカー板２０に対して前後動させることができる。
【００１９】
次に、修正治具１０の使用方法について説明する。プレキャスト化工法においては、図示された部分よりも上部に大梁、小梁、床板などの上部部材が配設されるが、それに伴い、柱部材２の水平位置が梁部材１に対して変位する。本発明の修正治具１０はこのずれを修正し、柱部材２を正しい位置に戻す。
【００２０】
まず、押圧ボルト３０をアンカー板２０の最後方へ配置する。次に、梁部材１と柱部材２との隙間に、押圧ボルト３０が柱部材２側となるようにアンカー板２０の前端を挿入し、係合部２１を主筋３に係合させる。次いで、押圧ボルト３０をラチェット等で径方向に回転させ、柱部材２の側面に向かって前進させる。
【００２１】
柱部材２の水平位置が梁部材１に対して修正治具１０と反対側にずれた場合には、柱部材２が正しい位置にあると想定したときの柱部材２の側面の位置に押圧ボルト３０の前端が来るまで、押圧ボルト３０をアンカー板２０に対して前進させる。
【００２２】
柱部材２の水平位置が梁部材１に対して修正治具１０側にずれた場合には、押圧ボルト３０の前端を柱部材２の側面に当接させ、さらに押圧ボルト３０の前端で柱部材２の側面を押圧しながら、押圧ボルト３０をアンカー板２０に対して前進させる。アンカー板２０は主筋３に係合しているため、主筋３に反力を取って柱部材２を押圧ボルト３０により押圧することができ、柱部材２の水平位置を修正することができる。
【００２３】
同様に、断面四角形状の柱部材２の四方向に修正治具１０を設け、柱部材２の位置を調整する。四方向に修正治具１０を設けて調整することにより、柱部材２がいずれの方向にずれた場合でも、柱部材２の水平位置を修正することができる。
【００２４】
なお図１においては、断面四角形状の柱部材２の各側面に２個ずつ修正治具１０を設けているが、１個ずつでもよいし、３個以上ずつ設けてもよく、柱の太さ、高さ、重さ等により任意に変更可能である。
【００２５】
また、図１〜３に示すように、柱部材２の側面と押圧ボルト３０の前端との間に、当接プレート３２を設けてもよい。柱部材２は押圧ボルト３０から大きな力を受けるが、当接プレート３２を設けることにより、柱部材２の側面が押圧ボルト３０前端から受ける圧力を小さくすることができる。
【００２６】
柱部材２２の水平位置を修正したら、押圧ボルト３０を固定することで、梁部材１と柱部材２との位置ずれを防止することができる。建物架構を組み終えたら、修正治具１０を撤去し、主筋３と挿入孔４の内側面との間にモルタル等の充填材を充填する。以上のようにして、梁部材１と柱部材２とを接合することができる。
【００２７】
なお、以上の実施の形態においては、建物の外周部における逆梁と外周部柱を構成する梁部材１と柱部材２との接合部について説明したが、本発明はこれに限らず、任意の場所について適用することができる。
【００２８】
また、柱部材２は断面四角形状の場合に限らず、断面円形の場合や、多角形状の場合にも、修正治具１０を柱部材２の周に間隔を空けて設けることで、柱部材２がいずれの方向にずれた場合でも、柱部材２の水平位置を修正することができる。
【００２９】
また、本発明の修正治具１０は下側部材と上側部材とを主筋３とスリーブとによるスリーブ継手により接合する場合に適用することができ、梁部材１と柱部材２との接合部に限らず、例えば梁部材１と壁状の上側部材との接合部や、壁状の下側部材と壁状の上側部材との接合部にも適用することができる。
【００３０】
また、押圧ボルト３０の代わりに油圧ジャッキを用いるなど、任意の押圧手段を用いてもよいし、アンカー部材も平板状のアンカー板２０に限らず、主筋３から反力を取ることができるものであれば、その形状は任意であることはもちろんである。
【図面の簡単な説明】
【００３１】
【図１】本発明の実施の形態の修正治具１０の設けられたスリーブ継手を示す図であり、斜視図である。
【図２】同、立面図である。
【図３】同、平面図である。
【図４】スリーブ継手の構造を示す立面図である。
【符号の説明】
【００３２】
１     梁部材
２     柱部材
３     主筋
４     挿入孔
１０   修正治具
２０   アンカー板
３０   押圧ボルト
【図１】
2005194750.tif 000003
【図２】
2005194750.tif 000004
【図３】
2005194750.tif 000005
【図４】
2005194750.tif 000006